(57)【特許請求の範囲】
【請求項１】
相互に平行に配置され、相互に隣接して形成される第１及び第２電極と、前記第２電極と平行に配置され、前記第２電極から広い間隔に離隔されて形成される第３電極とを具備する第１電極群と、前記第１電極群の各電極と平行、かつ前記第１電極群の第１又は第３電極と隣接して配置され、前記第１電極群の第１、第２及び第３電極とミラー形態に第１電極、第２電極及び第３電極が形成される第２電極群とが上部基板に形成されるとともに、下部基板には前記第１及び第２電極群と直交する方向にデータ電極が形成され、第１及び第２電極群をそれぞれ有する第１及び第２放電セルでは第１又は第２電極とデータ電極間でアドレス放電が行われた後、第２電極と第３電極間でサステイン放電が行われ、さらに、前記第１電極群と前記第２電極群の一方の側との間の距離は相互に隣接して形成されている前記第３電極の幅を含めて第１間隔に設定され、前記第１電極群と前記第２電極群の他方の側との間の距離は、前記第１電極群の第１及び第２電極の幅及びこの第１電極と第２電極間の間隔と、前記第２電極群の第１及び第２電極の幅及びこの第１電極と第２電極間の間隔と、前記第１電極群の第１電極と前記第２電極群の第１電極との間の間隔とを含めて前記第１間隔と同一の間隔である第２間隔に設定され、隣接する放電セル間の前記第３電極の間に形成される第１ブラック・マトリックスと、前記第１ブラック・マトリックスと同一の幅で隣接する放電セルの双方の第１電極と重畳されるように形成される第２ブラック・マトリックスとを具備することを特徴とするプラズマディスプレーパネル。
【請求項２】
前記第１電極〜第３電極の幅は同一に設定されることを特徴とする請求項１記載のプラズマディスプレーパネル。
【請求項３】
前記第１電極〜第３電極の中の少なくとも一つ以上の電極の幅が異なるように設定されることを特徴とする請求項１記載のプラズマディスプレーパネル。
【発明の詳細な説明】
【０００１】
【発明の属する技術分野】
本発明はプラズマディスプレーパネルに関するもので、特にサステイン放電空間を等間隔に配置できるようにしたプラズマディスプレーパネルに関する。
【０００２】
【従来の技術】
プラズマディスプレーパネル（以下ＰＤＰという）はガス放電により発生される真空紫外線が蛍光体を励起し、その励起された蛍光体から可視光線が発生されることを利用した表示装置である。ＰＤＰは今まで表示手段の主流であった陰極線管（ＣＲＴ）に比べて厚さが薄くて軽く、高鮮明の大画面の実現が可能であるなどの長所がある。ＰＤＰはマトリックス形態に配列された放電セルを備えている。一つの放電セルが画面の一画素となる。
【０００３】
図１は従来の３電極の交流の面放電型のＰＤＰの放電セルの構造を示した斜視図である。
【０００４】
図１を参照すると、従来の３電極の交流の面放電型のＰＤＰの放電セル（１）は上部基板（１０）上に形成された第１電極（１２Ｙ）及び第２電極（１２Ｚ）と、下部基板（１８）上に形成されたアドレス電極（２０Ｘ）とを具備する。このような放電セル（１）は、図２に示されたようにパネルにマトリックス形態に配置されている。
【０００５】
第１電極（１２Ｙ）と第２電極（１２Ｚ）が並んで形成された上部基板（１０）には上部誘電体層（１４）と保護膜（１６）が積層される。上部誘電体層（１４）にはプラズマ放電の際に発生された壁電荷が蓄積される。保護膜（１６）はプラズマ放電の際に発生されたスパタリングによる上部誘電体層（１４）の損傷を防止すると共に２次電子の放出効率を高める役を果たす。保護膜（１６）としては通常酸化マグネシウム（ＭｇＯ）が利用される。
【０００６】
アドレス電極（２０Ｘ）が形成された下部基板（１８）上には下部誘電体層（２２）と隔壁（２４）が形成されて、下部誘電体層（２２）と隔壁（２４）表面に蛍光体層（２６）が塗布される。アドレス電極（２０Ｘ）は第１電極（１２Ｙ）及び第２電極（１２Ｚ）と交差する方向に形成される。隔壁（２４）はアドレス電極（２０Ｘ）と並んで形成されて放電により生成された紫外線及び可視光が隣接した放電セルにリークすることを防止する。
【０００７】
蛍光体層（２６）はプラズマ放電の際に発生した紫外線により励起されて赤色、緑色または青色の中のいずれか一つの可視光線を発生する。上部基板（１０）／下部基板（１８）と隔壁（２４）の間に設けられた放電空間にはガス放電のための不活性ガスが注入される。相互に隣接した放電セル（１）にそれぞれ形成される第２電極（１２Ｚ）と第１電極（１２Ｙ）の間にブラック・マトリックス（３０）が形成される。
【０００８】
このような交流の面放電型のＰＤＰは画像のグレイレベル、すなわち階調を表現するために１フレームを放電回数が異なるサブフィールドに分けて駆動している。各サブフィールドは、放電を均一に起こすためのリセット期間、放電セルを選択するためのアドレス期間及び放電回数によりグレイレベルを実現するサステイン期間に分けられる。例えば、２５６グレイレベルで画像を表示しようとする場合に１／６０秒に当たるフレーム期間（１６.６７ｍｓ）は８個のサブフィールドに分けられる。
【０００９】
更に、８個のサブフィールドのそれぞれはアドレス期間とサステイン期間に更に分けられる。ここで、各サブフィールドのリセット期間及びアドレス期間は、各サブフィールド毎に同一であるが、これに対して、サステイン期間は各サブフィールドに２n（ｎ＝０、１、２、３、４、５、６、７）の比率で変化する。このように各サブフィールドでサステイン期間が異なるので画像のグレイレベルを実現することができる。
【００１０】
リセット期間には第１電極（１２Ｙ）にリセットパルスが供給されてリセット放電が起きる。アドレス期間には第１電極（１２Ｙ）に走査パルスが供給されると共にアドレス電極（２０Ｘ）にデータパルスが供給されて２電極（１２Ｙ、２０Ｘ）間にアドレス放電が起きる。アドレス放電の際に上／下部誘電体層（１４、２２）に壁電荷が形成される。サステイン期間には第１電極（１２Ｙ）と第２電極（１２Ｚ）に交互に供給される交流信号により２電極（１２Ｙ、１２Ｚ）間にサステイン放電が起きる。
【００１１】
しかし、このような従来の交流の面放電ＰＤＰはサステイン放電空間が上部基板（１０）の中央に集中され、放電空間の活用度が劣る。これにより放電面積が少なくなり発光効率が低下するという問題がある。このような問題を解決するために図３のような４電極ＰＤＰが提案された。
【００１２】
図３及び図４は従来の４電極の交流の面放電型のＰＤＰを表す図である。
図３及び図４を参照すると、従来の４電極ＰＤＰの放電セル（５０）は上部基板（３２）上に形成された第１電極（Ｔ）、第２電極（Ｙ）及び第３電極（Ｚ）と、下部基板（３８）上に形成されたアドレス電極（Ａ）とを具備する。このような放電セル（５０）は図４に示されたようにパネルにマトリックス形態に配置される。
【００１３】
第１電極（Ｔ）及び第２電極（Ｙ）は狭い間隔に形成されて、第３電極（Ｚ）と第２電極（Ｙ）の間は第１電極（Ｔ）と第２電極（Ｙ）との間より広い間隔に形成される。第１〜第３電極（Ｔ、Ｙ、Ｚ）が並んで形成された上部基板（３２）には上部誘電体層（３４）と保護膜（３６）が積層される。上部誘電体層（３４）にはプラズマ放電の際に発生された壁電荷が蓄積される。保護膜（３６）はプラズマ放電の際に発生されたスパタリングによる上部誘電体層（３４）の損傷を防止すると共に２次電子の放出効率を高くする。保護膜（３６）としては通常酸化マグネシウム（ＭｇＯ）が利用される。
【００１４】
アドレス電極（Ａ）が形成された下部基板（３８）上には下部誘電体層（４２）、隔壁（４４）が形成されて、下部誘電体層（４２）と隔壁（４４）の表面には蛍光体層（４６）が塗布される。アドレス電極（Ａ）は第１〜第３電極（Ｔ、Ｙ、Ｚ）と交差する方向に形成される。隔壁（４４）はアドレス電極（Ａ）と並んで形成され、放電により生成された紫外線及び可視光が隣接した放電セルにリークすることを防止する。
【００１５】
蛍光体層（４６）は、プラズマ放電の際に発生された紫外線により励起されて赤色、緑色または青色の中のいずれか一つの可視光線を発生する。上部基板（３２）／下部基板（３８）と隔壁（４４）の間に設けられた放電空間にはガス放電のための不活性ガスが注入される。一つの放電セルの第３電極とその隣（アドレス電極に沿った方向での隣）の放電セルの第１電極（Ｔ）の間にはブラック・マトリックス（４０）が形成される。
【００１６】
リセット期間には第１〜第３電極（Ｔ、Ｙ、Ｚ）の中のいずれか一つの電極にリセットパルスが供給されて放電セル（５０）内でリセット放電が起きる。アドレス期間には第１または第２電極（Ｔ、Ｙ）に走査パルスが供給されると共にアドレス電極（Ａ）にデータパルスが供給されて第１または第２電極（Ｔ、Ｙ）とアドレス電極（Ａ）間にアドレス放電が起きる。アドレス放電の際に上／下部誘電体層（３４、４２）に壁電荷が蓄積される。サステイン期間には幅の広い間隔である第２電極（Ｙ）及び第３電極（Ｚ）に交互にサステインパルスが供給されて２電極（Ｙ、Ｚ）間にサステイン放電が起きる。
【００１７】
このような、従来の４電極の交流の面放電型のＰＤＰではサステイン放電を起こす第２電極（Ｙ）と第３電極（Ｚ）との間隔が広く設定されているために放電空間の活用度が向上する。これにより放電面積が拡大されて発光効率が向上するようになる。
【００１８】
しかし、このような従来の４電極の交流の面放電型のＰＤＰでは広い間隔に形成されている第２電極（Ｙ）と第３電極（Ｚ）間にサステイン放電を起こすために、３電極の交流の面放電型のＰＤＰより高い電圧レベルのサステインパルスを加えなければならない。従って、ブラック・マトリックス（４０）を間に置いて隣り合って形成されている第３電極（Ｚ）と第１電極（Ｔ）間に誤放電が発生するおそれがある。言い換えると、ブラック・マトリックス（４０）を間に置いて隣接されて相互に異なる電極が形成されるためにそれらの電極の間に所定の電圧差が発生して、これにより隣接した放電セル間に誤放電が発生することがある。
【００１９】
このような誤放電の現象を防止するために図５のような４電極の交流の面放電型のＰＤＰが提案された。
図５は従来の異なる例による４電極のプラズマディスプレーパネルを表す図である。
【００２０】
図５を参照すると、従来の異なる例によるＰＤＰは、ブラック・マトリックス（５８、６０）の両側に同じ電極を配置する。言い換えると、上／下（図面上）に隣接して形成されている第１及び第２放電セル（５２、５４）には第１ブラック・マトリックス（５８）を間に置いて同一の電極（Ｚ）が隣接するように電極を配置する。また、上／下に隣接して形成されている第２及び第３放電セル（５４、５６）には第２ブラック・マトリックス（６０）を間に置いて同一の電極（Ｔ）を隣接して配置する。即ち、図５に図示されたＰＤＰの電極（Ｔ、Ｙ、Ｚ）はブラック・マトリックス（５８、６０）を中心にミラー形態に配置される。
【００２１】
このように、ブラック・マトリックス（５８、６０）を間に置いてその両側に同一の電極（Ｚ、ＺまたはＴ、Ｔ）が形成されると隣接して形成された放電セル（５２、５４、５６）間に誤放電が発生されない。言い換えると、隣接して形成されている電極（Ｚ、ＺまたはＴ、Ｔ）が同一の極性のパルスが加えられるために隣接した放電セル（５２、５４、５６）間の誤放電を防止することができる。
【００２２】
一方、このような従来の４電極の面放電型のＰＤＰで第１電極（Ｔ）と第２電極（Ｙ）は狭い間隔（ＤＩ）に形成されて、第２電極（Ｙ）と第３電極（Ｚ）との間隔は広い間隔（Ｄ２）に形成される。このような、４電極の面放電型のＰＤＰで実際に輝度に寄与する空間は第２電極（Ｙ）と第３電極（Ｚ）間の放電空間（Ｄ２）である。
【００２３】
このような、ＰＤＰで各放電セル（５２、５４、５６）内の放電空間（Ｄ２）は等間隔に配置されるべきである。即ち、ＰＤＰの輝度が均一に表れるためにはすべての放電空間（Ｄ２）は等間隔に配置されるべきである。しかし、図５に図示された４電極のＰＤＰでは放電セルの放電に寄与する間隔を等間隔に配置することができない。
【００２４】
これを詳細に説明すると、第１放電セル（５２）の放電空間（Ｄ２）と第２放電セル（５４）の放電空間（Ｄ２）は第１間隔（Ｄ３）に離隔される。しかし、第２放電セル（５４）の放電空間（Ｄ２）と第３放電セル（５６）の放電空間（Ｄ２）は第１間隔（Ｄ３）より広い第２間隔（Ｄ１＋Ｄ３＋Ｄ１）となる。即ち、放電セル（５２、５４、５６）間の間隔を等間隔に設定することができない。
【００２５】
このように放電セルの実際の放電する箇所の間隔を等間隔に形成することができないと、図６のように第１間隔（Ｄ３）での明るさと第２間隔（Ｄ１＋Ｄ３＋Ｄ１）での明るさが相違する。即ち、第２間隔（Ｄ１＋Ｄ３＋Ｄ１）が広くなるため、第１間隔（Ｄ１）で発生する光より低い輝度を有するようになる。従って、図５に図示されたＰＤＰでは均一の映像の画像を表示できなくなるだけでなくパネルに横線の縞模様が表れるようになる。
【００２６】
【発明が解決しようとする課題】
従って、本発明の目的はサステイン放電空間を等間隔に配置することができるようにしたプラズマディスプレーパネルを提供することである。
【００２７】
【課題を解決するための手段】
前記目的を達成するために、本発明の第１実施態様によるプラズマディスプレーパネルは相互に平行に配置され、相互に隣接して形成される第１及び第２電極と、前記第２電極と平行に配置され、前記第２電極から広い間隔に離隔されて形成される第３電極とを具備する第１電極群と；前記第１電極群の各電極と平行、かつ前記第１電極群の第１又は第３電極と隣接して配置され、前記第１電極群の第１、第２及び第３電極とミラー形態に第１電極、第２電極及び第３電極が形成される第２電極群とを具備して；前記第１電極群と前記第２電極群の一方の側の間の距離は相互に隣接して形成されている前記第３電極の幅を含めて第１間隔に設定され、前記第１電極群と前記第２電極群の他方の側の間の距離は、前記第１電極群の第１及び第２電極の幅及びこの第１電極と第２電極間の間隔と、前記第２電極群の第１及び第２電極の幅及びこの第１電極と第２電極間の間隔と、前記第１電極群の第１電極と前記第２電極群の第１電極との間の間隔とを含めて前記第１間隔と同一の間隔である第２間隔に形成されることを特徴とする。
【００２８】
本発明の第１実施態様によるプラズマディスプレーパネルにおいて第２間隔には前記第１電極群の第２電極の幅及び第１電極の幅、第２電極群の第１電極の幅及び第２電極群の幅が含まれる。
【００２９】
本発明の第１実施態様によるプラズマディスプレーパネルにおいて第１電極〜第３電極の幅は同一に設定される。
【００３０】
本発明の第１実施態様によるプラズマディスプレーパネルにおいて第１電極〜第３電極の幅は同一に設定される。
【００３１】
本発明の第１実施態様によるプラズマディスプレーパネルにおいて第１電極〜第３電極群の中の少なくとも一つ以上の電極の幅が異なるように設定される。
【００３２】
本発明の第２実施態様によるプラズマディスプレーパネルは相互に平行に配置され、相互に隣接して形成される第１及び第２電極と、前記第２電極と平行に配置され、前記第２電極から広い間隔に離隔されて形成される第３電極とを具備する第１電極群と；前記第１電極群の各電極と平行、かつ前記第１電極群の第１又は第３電極と隣接して配置され、前記第１電極群の第１、第２及び第３電極とミラー形態に第１電極、第２電極及び第３電極が形成される第２電極群とを具備し；前記第２電極及び第３電極の間の放電空間で輝度に寄与するサステイン放電が起き、前記第１電極群及び第２電極群に含まれている前記放電空間は等間隔に配置されることを特徴とする。
【００３３】
本発明の第２実施態様によるプラズマディスプレーパネルにおいて前記放電空間が等間隔に配置された前記第１電極群と前記第２電極群の間の一方側の距離は相互に隣接して形成されている前記第３電極の幅を含めて第１間隔に設定されて、前記第１電極群と前記第２電極群の間の他方の側の距離は前記第２電極を幅を含めて前記第１間隔と同一の間隔である第２間隔に設定される。
【００３４】
本発明の第２実施態様によるプラズマディスプレーパネルにおいて第２間隔には前記第１電極群の第２電極の幅及び第１電極の幅、第２電極群の第１電極の幅及び第２電極群の幅が含まれている。
【００３５】
本発明の第２実施態様によるプラズマディスプレーパネルにおいて隣接する放電セル間の前記第３電極の間に形成される第１ブラック・マトリックスと、前記第１ブラック・マトリックスと同一の幅で隣接する放電セルの双方の第１電極と重畳されるように形成される第２ブラック・マトリックスとを具備する。
【００３６】
本発明の第２実施態様によるプラズマディスプレーパネルにおいて前記第３電極の間に形成される第１ブラック・マトリックスと、前記第１ブラック・マトリックスと同一の幅に前記第１電極の間に形成される第２ブラック・マトリックスとを具備する。
【００３７】
本発明の第２実施態様によるプラズマディスプレーパネルにおいて第１電極〜第３電極の幅は同一に設定される。
【００３８】
本発明の第２実施態様によるプラズマディスプレーパネルにおいて第１電極〜第３電極の中の少なくとも一つ以上の電極の幅が異なるように設定される。
【００３９】
【作用】
本発明によるプラズマディスプレーパネルはサステイン放電を起こす放電空間が上／下に等間隔に配置されて均一の映像の画像を表示することができる。
【００４０】
【発明の実施形態】
以下、図７〜図１１を参照して本発明の好ましい実施形態に対して説明する。
図７は本発明の実施形態による４電極の交流の面放電型のプラズマディスプレーパネルを図示する図である。
【００４１】
図７を参照すると、本発明の実施形態による４電極の交流の面放電型のＰＤＰは図示されない上部基板上に並んで形成された第１電極（Ｔ）、第２電極（Ｙ）及び第３電極（Ｚ）と、図示されていない下部基板上に形成されたアドレス電極（Ａ）とを具備する。上部基板と下部基板の間には隔壁（７０）が形成されている。隔壁（７０）はアドレス電極（Ａ）と並んで形成されて放電により生成された紫外線及び可視光が隣接した放電セルにリークすることを防止する。
【００４２】
放電セル（７２、７４、７６）は、第１〜第３電極（Ｔ、Ｙ、Ｚ）とアドレス電極（Ａ）の交差部に位置する。このような放電セル（７２、７４、７６）に含まれている第１電極（Ｔ）及び第３電極（Ｚ）はアドレス電極の方向に隣り合っているセルは同一の電極（Ｔ、Ｚ）が隣接するように電極が配置される。
【００４３】
言い換えると、第１放電セルが上から第１，第２、第３電極の順に並ぶと、第２放電セル（７４）は上側に第３電極（Ｚ）が形成される。即ち、第１放電セル（７２）と第２放電セル（７４）の境界部には同一の電極（Ｚ）が配置される。第１セル（７２）の第１、第２，第３電極を第１電極群とする。これに隣接した第２放電セル（７４）の第１、第２、第３電極は第１セルのそれらとミラー形態に第３、第２、第１の順に配置されている。その第２放電セルの電極を第２電極群という。したがって、第２放電セル（７４）の下側には第１電極（Ｔ）が形成される。第２放電セル（７４）の第１電極（Ｔ）に隣接して形成される第１放電セルでもある第３放電セル（７６）の上側には第１電極（Ｔ）が形成される。このように、第１放電セル（７２）と第２放電セル（７４）とが交互に上下方向に並んで多数配置されている。即ち、放電セルの境界部には同一の電極が形成される。なお、本明細書において方向の上下は図面上の上下である。
【００４４】
一方、このような本発明の実施形態によるＰＤＰで相互に隣接して形成されている第３電極（Ｚ）間の間隔（ＤZZ）は、相互に隣接して形成されている第２電極（Ｙ）、第１電極（Ｔ）、第１電極（Ｔ）及び第２電極（Ｙ）の４つの電極の間の間隔（ＤYTTY）と同一に設定される。従って、本発明では各放電セル（７２、７４、７６）に含まれている放電空間（Ｄ１、Ｄ２、Ｄ３）は等間隔に配置される。
【００４５】
これを詳細にすると、第１放電空間（Ｄ１）と第２放電空間（Ｄ２）は相互隣接に設置される第３電極（Ｚ）間の間隔（ＤZZ）だけ離される。また、第２放電空間（Ｄ２）と第３放電空間（Ｄ３）は第２電極（Ｙ）、第１電極（Ｔ）、第１電極（Ｔ）及び第２電極（Ｙ）の間隔（ＤYTTY）だけ離隔される。ここで、ＤZZとＤYTTYの間隔は等間隔に設定されているため、すべての放電空間（Ｄ１、Ｄ２、Ｄ３）は等間隔に配置される。ここで、ＤZZとＤYTTYの間隔には各電極（Ｔ、Ｙ、Ｚ）の幅が含まれる。
【００４６】
図８は図７に図示された電極配置により配置された電極を表す図である。図８ですべての電極（Ｔ、Ｙ、Ｚ）自体の幅は同一である。
【００４７】
図８を参照すると、第１電極（Ｔ）、第２電極（Ｙ）及び第３電極（Ｚ）の幅は１５０μｍに設定される。また、放電空間（Ｄ１、Ｄ２、Ｄ３）の幅（即ち、第２電極（Ｙ）と第３電極（Ｚ）間の距離）は２００μｍに設定される。第１電極（Ｔ）と第２電極（Ｙ）間の距離は７０μｍに設定される。第３電極（Ｚ）間の距離は５８０μｍに設定されて、第１電極（Ｔ）間の距離は１４０μｍに設定される。
【００４８】
ここで、ＤZZの距離は二つの第３電極（Ｚ）の幅（１５０＋１５０）と離隔距離（５８０）を合計した８８０μｍに設定される。ＤYTTYの距離は四つの電極（Ｙ、Ｔ、Ｔ、Ｙ）の幅（１５０＋１５０＋１５０＋１５０）、第２電極（Ｙ）と第１電極（Ｔ）の離隔距離（７０＋７０）及び第１電極（Ｔ）間の離隔距離（１４０）を合わせた８８０μｍに設定される。即ち、本発明では図８に示されたようにＤZZとＤYTTYの距離を同一に設定して放電空間（Ｄ１、Ｄ２、Ｄ３）を等間隔で配置させている。
【００４９】
図９は異なる実施形態により配置された電極を表す図である。
図９を参照すると、第２電極（Ｙ）と第３電極（Ｚ）の幅は１３０μｍに同一に設定されているが、第１電極（Ｔ）の幅は第２及び第３電極（Ｙ、Ｚ）の幅より大きく設定されている。ここで、第１電極（Ｔ）の幅は１４０μｍに設定される。放電空間（Ｄ１、Ｄ２、Ｄ３）の幅（即ち、第２電極（Ｙ）と第３電極（Ｚ）間の距離）は１８０μｍに設定される。第１電極（Ｔ）と第２電極（Ｙ）間の距離は６０μｍに設定される。第３電極（Ｚ）間の距離は６４０μｍに設定されて、第１電極（Ｔ）間の距離は２４０μｍに設定される。
【００５０】
ここで、ＤZZの距離は二つの第３電極（Ｚ）の幅（１３０＋１３０）と離隔距離（６４０）を合わせた９００μｍに設定される。ＤYTTYの距離は四つの電極（Ｙ、Ｔ、Ｔ、Ｙ）の幅（１３０＋１４０＋１４０＋１３０）、第２電極（Ｙ）と第１電極（Ｔ）の離隔距離（６０＋６０）及び第１電極（Ｔ）間の離隔距離（２４０）を合わせた９００μｍに設定される。即ち、本発明では図９に示されたようにＤZZとＤYTTYの距離を同一に設定して放電空間（Ｄ１、Ｄ２、Ｄ３）を等間隔に配置させている。
【００５１】
図１０はさらに異なる実施形態により配置された電極を表す図である。
図１０を参照すると、第１電極（Ｔ）及び第２電極（Ｙ）の幅は１１０μｍに同一に設定され、第３電極（Ｚ）の幅は第１及び第２電極（Ｔ、Ｙ）の幅より大きく設定される。ここで、第３電極（Ｚ）の幅は１２０μｍに設定される。放電空間（Ｄ１、Ｄ２、Ｄ３）の幅（即ち、第２電極（Ｙ）と第３電極（Ｚ）間の距離）は２５０μｍに設定される。第１電極（Ｔ）と第２電極（Ｙ）間の距離は７０μｍに設定する。第３電極（Ｚ）間の距離は５９０μｍに設定され、第１電極（Ｔ）間の距離は２５０μｍに設定される。
【００５２】
ここで、ＤZZの距離は二つの第３電極（Ｚ）の幅（１２０＋１２０）と離隔距離（５９０）を合わせた８３０μｍに設定される。ＤYTTYの距離は四つの電極（Ｙ、Ｔ、Ｔ、Ｙ）の幅（１１０＋１１０＋１１０＋１１０）、第２電極（Ｙ）と第１電極（Ｔ）の離隔距離（７０＋７０）及び第１電極（Ｔ）間の離隔距離（２５０）を合わせた８３０μｍに設定される。即ち、本発明では図１０に示されたようにＤZZとＤYTTYの距離を同一に設定して放電空間（Ｄ１、Ｄ２、Ｄ３）を等間隔に配置させている。
【００５３】
言い換えると、本発明では図８〜図１０で図示したように電極（Ｔ、Ｙ、Ｚ）の幅及び電極（Ｔ、Ｙ、Ｚ）間の間隔と無関係にＤZZとＤYTTYの距離を同一に設定することで放電空間（Ｄ１、Ｄ２、Ｄ３）を等間隔に配置させている。
【００５４】
図１１は図７に図示された４電極の面放電型のＰＤＰにブラック・マトリックスが形成された例を表す図である。
【００５５】
図１１を参照すると、ブラック・マトリックス（９２、９４）は放電セル（７２、７４、７６）の境界部に第１〜第３電極（Ｔ、Ｙ、Ｚ）と並んで形成される。第１放電セル（７２）と第２放電セル（７４）の間に位置されるブラック・マトリックス（９２）は第３電極（Ｚ）どうしの間に形成される。第２放電セル（７４）と第３放電セル（７６）の間に位置されるブラック・マトリックス（９４）は第２放電セル（７４）の下側と第３放電セル（７６）の上側に位置される双方の第１電極（Ｔ）と重畳されるように形成される。
【００５６】
第１放電セル（７２）の下側及び第２放電セル（７４）の上側に形成される第３電極（Ｚ）は広い間隔（ＤZZ）に形成されるために、ブラック・マトリックス（９２）は第３電極（Ｚ）の間に形成される。しかし、第２放電セル（７４）の下側及び第３放電セル（７６）の上側に形成される第１電極（Ｔ）は狭い間隔に形成されるためにブラック・マトリックス（９４）は第１電極（Ｔ）と重畳されるように形成される。
【００５７】
一方、本発明でブラック・マトリックス（９２、９４）は、その幅を所定以下に形成して第２放電セル（７４）の下側及び第３放電セル（７６）の上側に形成される第１電極（Ｔ）の間に形成させてもよい。
【００５８】
【発明の効果】
上述したことのように、本発明によるプラズマディスプレーパネルによるとサステイン放電を起こす放電空間が上／下に等間隔に配置されるようになる。従って、本発明によるプラズマディスプレーパネルによると均一の映像を画像を表示することができる。
【００５９】
以上説明した内容を通して当業者であれば本発明の技術思想を一脱しない範囲で多様な変更及び修正が可能であることが分かる。従って、本発明の技術的な範囲は明細書の詳細な説明に記載された内容に限らず特許請求の範囲によって定めなければならない。
【図面の簡単な説明】
【図１】  従来の３電極の交流の面放電型のプラズマディスプレーパネルを表す斜視図である。
【図２】  図１に図示された３電極の交流の面放電型のプラズマディスプレーパネルの放電セルの配置を表す図である。
【図３】  従来の４電極の交流の面放電型のプラズマディスプレーパネルの放電セル構造を表す斜視図である。
【図４】  図４は図３に図示された３電極の交流の面放電型のプラズマディスプレーパネルの放電セルの配置を表す図である。
【図５】  図５は従来の異なる実施形態による４電極の交流の面放電型のプラズマディスプレーパネルを表す図である。
【図６】  図６は図５に図示された上板の４電極の交流の面放電型のプラズマディスプレーパネルの放電セルの位置による明るさを表す図である。
【図７】  図７は本発明の実施形態による４電極の交流の面放電型のプラズマディスプレーパネルを表す図である。
【図８】  図７に図示された電極配置により配置された電極を表す図である。
【図９】  図７に図示された電極配置により配置された電極を表す図である。
【図１０】  図７に図示された電極配置により配置された電極を表す図である。
【図１１】  図７に図示された４電極の交流の面放電型のプラズマディスプレーパネルに形成されるブラック・マトリックスを表す図である。
【符号の説明】
１、５０：放電セル
１０、３２：上部基板
１２Ｙ：第１電極
１２Ｚ：第２電極
１４、３４：上部誘電体層
１６、３６：保護膜
１８、３８：下部基板
２０Ｘ：アドレス電極
２２、４２：下部誘電体層
２４、４４、７０：隔壁
２６：蛍光体層
３０、４０、５８、６０：ブラック・マトリックス
５２：第１放電セル
５４：第２放電セル
５６：第３放電セル
７２、７４、７６：放電セル
【図１】
0004079707.tif 000002
【図２】
0004079707.tif 000003
【図３】
0004079707.tif 000004
【図４】
0004079707.tif 000005
【図５】
0004079707.tif 000006
【図６】
0004079707.tif 000007
【図７】
0004079707.tif 000008
【図８】
0004079707.tif 000009
【図９】
0004079707.tif 000010
【図１０】
0004079707.tif 000011
【図１１】
0004079707.tif 000012